(57)【要約】  本発明は、電気浸透脱水機に関し、より詳細には、電気浸透脱水機の核心部品であるドラムの耐久性と電気伝導率を向上させた構造で提供することにより、安定した脱水作業を保障できることは勿論、使用寿命を延長することができ、電力消耗も節減できるようにした電気浸透脱水機に関する。本発明によれば、陽極（＋）または陰極（−）が印加されたドラムと、  前記ドラムと一定空間部を置いて設置され、陰極（−）または陽極（＋）が全体に印加されたキャタピラまたは電極板と、前記ドラムとキャタピラまたは電極板の間にスラッジの移送および脱水のために巻き取られた濾布ベルトと、で構成された電気浸透脱水機であって、前記ドラムの外側面に銅板が環装され、前記銅板の外側面に白金系金属のコーティング剤をコーティングしたチタン板が環装されることを特徴とする。
2010526660.tif 000002
【特許請求の範囲】
【請求項１】
陽極（＋）または陰極（−）が印加されたドラムと、
前記ドラムと一定空間部を置いて設置され、陰極（−）または陽極（＋）が全体に印加されたキャタピラまたは電極板と、
前記ドラムとキャタピラまたは電極板の間にスラッジの移送および脱水のために巻き取られた濾布ベルトと、
で構成された電気浸透脱水機であって、
前記ドラムの外側面に銅板が環装され、前記銅板の外側面に白金系金属のコーティング剤をコーティングしたチタン板が環装されることを特徴とする電気浸透脱水機。
【請求項２】
前記ドラムの内側面に冷却水が内部で循環する空間部を備えた円筒型の水冷ジャケットが環装されることを特徴とする請求項１に記載の電気浸透脱水機。
【請求項３】
前記銅板とチタン板は、ボルトヘッドが白金系金属のコーティング剤でコーティング処理され、銅板とチタン板を貫通してドラムにねじ締結する複数のボルトにより、ドラムの外側面に相互離隔することなくドラムに環装されることを特徴とする請求項１に記載の電気浸透脱水機。
【発明の詳細な説明】
【技術分野】
【０００１】
本発明は、電気浸透脱水機に関し、より詳細には、電気浸透脱水機の核心部品であるドラムの耐久性と電気伝導率を向上させた構造で提供することにより、安定した脱水作業を保障できることは勿論、使用寿命を延長することができ、電力消耗も節減できるようにした電気浸透脱水機に関する。
【背景技術】
【０００２】
一般的に、電気浸透脱水機は、スラッジと結合した水を電気泳動性によって除去するための電場を形成させるために直流電源が印加され、その電圧差によってスラッジの含水を脱水させる装置である。
【０００３】
その構造は、大きく、陽極（＋）または陰極（−）が印加されたドラムと、ドラムと一定空間部を置いて設置され、全体に陰極（−）または陽極（＋）が印加されたキャタピラと、ドラムとキャタピラの間にスラッジの移送および脱水のために巻き取られた濾布ベルトとで構成されている。
【０００４】
このとき、キャタピラの代りに、キャタピラのように無限軌道で回転する陰極（−）または陽極（＋）が印加された電極板で構成された電気浸透脱水機も存在する。
このような従来の電気浸透脱水機は、ドラムとキャタピラ（または電極板）の間に一定の純粋な直流電圧が印加されて電場が形成され、電場内において帯電した液体スラッジ粒子の周りの水が、電気泳動と毛細管現象によってスラッジ粒子が帯びている電荷と反対の電極側に移動して水分が分離されて除去される。
【０００５】
すなわち、スラッジ粒子は（−）表面電荷を帯びるため、スラッジに電場を形成させれば、スラッジ粒子は（＋）極に移動し、スラッジ粒子層内の水分は（−）極に移動して脱水が促進される。
【０００６】
しかしながら、このような従来の電気浸透脱水機は、核心部品であるドラムが単純にステンレスのみからなる構造であるため、脱水作業の際に、ドラムとキャタピラ（または電極板）の間に発生する電場によって電気化学的な反応を示すようになることにより、ドラムの表面が電気分解され、その表面に大小の腐食が発生するようになる。
【０００７】
また、ドラムとキャタピラ（または電極板）の間に発生するクーロン熱によってドラムが高温に加熱されて水蒸気が発生するようになるため、ドラムの表面により激しい腐食が発生するようになるだけでなく、外形の変化も起こるようになる。
【０００８】
したがって、ドラムの使用寿命が期待以下に短縮され、ドラムの電気伝導率も低下して脱水能力が低下するようになるため、脱水機の維持補修費用を増加させるようになり、脱水機の作動に必要な消費電力も上昇させるようになり、スラッジの含水率が増加するようになるという問題点がある。
【発明の概要】
【発明が解決しようとする課題】
【０００９】
本発明は、上述したような問題点を解決するために発明されたものであって、ドラムの耐久性と共に電気伝導率を増大させることができるようにするために、ドラムの外側面に銅板が環装され、銅板の外側面に白金系金属のコーティング剤をコーティングしたチタン板が環装され、ドラムの耐久性と電気伝導率が増大した電気浸透脱水機を提供することを目的とする。
【課題を解決するための手段】
【００１０】
上記目的を達成するための本発明に係る電気浸透脱水機は、
陽極（＋）または陰極（−）が印加されたドラムと、
前記ドラムと一定空間部を置いて設置され、陰極（−）または陽極（＋）が全体に印加されたキャタピラまたは電極板と、
前記ドラムとキャタピラまたは電極板の間にスラッジの移送および脱水のために巻き取られた濾布ベルトと、
で構成された電気浸透脱水機であって、
前記ドラムの外側面に銅板が環装され、前記銅板の外側面に白金系金属のコーティング剤をコーティングしたチタン板が環装されることを特徴としている。
【００１１】
ここで、本発明では、
前記ドラムの内側面に冷却水が内部で循環する空間部を備えた円筒型の水冷ジャケットが環装されることが好ましい。
【００１２】
また、本発明では、
前記銅板とチタン板は、ボルトヘッドが白金系金属のコーティング剤でコーティング処理され、銅板とチタン板を貫通してドラムにねじ締結する複数のボルトにより、ドラムの外側面に相互離隔することなくドラムに環装されていることが好ましい。
【発明の効果】
【００１３】
上述のように構成された本発明は、ドラムの耐久性が補強されると同時にドラムの電気伝導率が向上することにより、ドラムの使用寿命が延長されて脱水機の維持補修費用を節減させることができ、電場が効果的に発生するようにして消費電力を減らして脱水能力を向上させることができ、安定した脱水作業を保障することができるという効果がある。
【図面の簡単な説明】
【００１４】
【図１】本発明の電気浸透脱水機を示す内部透視断面図である。
【図２】本発明の要部を示す一部切開斜視図である。
【図３】本発明の要部を示す断面図である。
【図４】図３のＡ部の拡大断面図である。
【発明を実施するための形態】
【００１５】
以下、添付の図面を参照しながら、本発明の好ましい実施形態について詳細に説明すれば、次のようになる。
図１は、本発明の電気浸透脱水機を示す内部透視断面図であり、図２は、本発明の要部を示す一部切開斜視図であり、図３は、本発明の要部を示す断面図であり、図４は、図３のＡの拡大断面図である。
【００１６】
本発明の電気浸透脱水機１００は、陽極（＋）または陰極（−）が印加されたドラム１と、ドラム１と一定空間部を置いて設置され、陰極（−）または陽極（＋）が全体に印加されたキャタピラ２または電極板と、ドラム１とキャタピラ２または電極板の間にスラッジの移送および脱水のために巻き取られた濾布ベルト３とで構成された電気浸透脱水機であって、ドラム１の外側面に銅板４が環装され、銅板４の外側面に白金系金属のコーティング剤５をコーティングしたチタン板６が環装され、銅板４とチタン板６は、ボルトの頭が白金系金属のコーティング剤５でコーティング処理され、銅板４とチタン板６を貫通してドラム１にねじ締結される複数のボルト９により、ドラム１の外側面に相互離隔することなくドラム１に環装されることを特徴とする。
【００１７】
ドラム１は、ステンレス板で８Ｔの厚さを有するものであり、銅板４は、１Ｔの厚さを有するものであり、チタン板６は、１Ｔの厚さを有するものである。
ドラム１の内側面には、冷却水が内部で循環する空間部７を備えた円筒型の水冷ジャケット８が環装されている。
【００１８】
水冷ジャケット８は、ドラム１の円滑な回動と冷却水に腐食されないように、重量が軽くて耐食性が強いステンレスで形成されている。
ここで、図に示してはいないが、水冷ジャケット８は、電気浸透脱水機１００に別に設置された冷却水を供給する冷却水供給装置に連結され、内部で冷却水が円滑に循環されるようになる。
【００１９】
また、図に示してはいないが、電気浸透脱水機１００は、キャタピラ２を用いずに、キャタピラ２のように無限軌道で回転する陰極（−）または陽極（＋）が全体に印加された電極板が設置された構造も含む。
【００２０】
図面のうちで説明がされていない図面符号１０は、水冷ジャケット８に設置された冷却水供給ノズルであり、図面符号１１は、冷却水供給ノズル１０と冷却水供給装置を連結する冷却水供給管である。
【００２１】
このように構成された本発明の電気浸透脱水機１００は、図１に示すように、印加された直流電源の電圧差による電気泳動性と毛細管現象を介してスラッジに結合した含水をスラッジから分離させ、スラッジを脱水する装置である。
【００２２】
特に、本発明の電気浸透脱水機１００は、核心部品であるドラム１の耐久性を増大させ、これと同時にドラム１の電気伝導率を向上させてその使用寿命を延長させ、脱水能力を向上させることができるようにすることを特徴とする。
【００２３】
これは、図２〜４に示すように、ステンレスからなるドラム１の内側面に冷却水が循環する水冷ジャケット８が環装され、ドラム１の外側面に銅板４が環装され、銅板４の外側面に白金系金属のコーティング剤５をコーティングしたチタン板６が環装されたことによるものであるが、この作用をより詳細に説明すれば、次のようになる。
【００２４】
まず、脱水しようとするスラッジは、ホッパー（図示せず）を介して投入され、ホッパーに投入されたスラッジは、濾布ベルト３の間に流入してドラム１に沿って移送される。
この後、ドラム１に沿って移送されるスラッジに含まれた含水は、（＋）直流電圧と（−）直流電圧がそれぞれ印加されたドラム１とキャタピラ２の間で発生する電場による電気泳動と毛細管現象を介して脱水されるようになる。
【００２５】
このとき、ドラム１は、外側面に環装されたチタン板６によって高強度と高軽量および高耐食性を有するようになるため、軽量でありながらも優れた強度を有するようになり、腐食に強くなる。
【００２６】
これだけでなく、ドラム１は、チタン板６の表面にコーティングされた白金系金属のコーティング剤５によって不溶性電極になり、脱水作業の際に、金属イオンの放出不備により電気分解がほぼなされないようになることにより、電気化学的な腐食に強くなる。
【００２７】
したがって、ドラム１とキャタピラ２との間でなされる電気化学的な反応によってドラム１の外周面に大小の腐食が発生していた従来の電気浸透脱水機の弊害を解消し、ドラム１の耐久性を増大させることができるようになる。
【００２８】
ここで、コーティング剤５の厚さによってドラム１の腐食防止寿命を相違させることができるが、コーティング剤５の厚さが大略１ミクロンであるときに１年程度の寿命を有するようになる。これにより、コーティング剤５の厚さを厚くすれば、ドラム１の腐食防止寿命をより延長させることができるようになる。
【００２９】
また、ドラム１は、外側面とチタン板６の内側面の間に環装された銅板４によって電気伝導率が数倍以上に向上し、電気の流れを円滑にしてクーロン熱も減少するようにする。
したがって、ドラム１とキャタピラ２の間における電場をより効果的に発生させることができるだけでなく、水蒸気の発生を抑制させることができるようになることにより、脱水作業を安定的かつ効率的に行える上に、脱水作業に消費される電力も減らすことができるようになる。
【００３０】
また、ドラム１は、内周面に環装された水冷ジャケット８によって持続して冷却されるため、熱によるドラム１の変形や腐食を防いでドラム１の使用寿命を延長できるようになり、安定した脱水作業も保障できるようになる。
【００３１】
これにより、ドラム１とキャタピラ２の間に電場が形成される間に高温の熱が発生して別途の冷却手段が備えられていないドラム１が加熱し、容易に腐食したり変形していた従来の電気浸透脱水機の弊害も解消できるようになる。
【００３２】
このとき、銅板４とチタン板６は、ドラム１の外周面に環装させるときには、図２に示すように、溶接せずに、銅板４とチタン板６を貫通して一定の間隔でドラム１にねじ締結される複数のボルト９を用いる。
【００３３】
これは、溶接すれば、チタン板６にコーティングされたコーティング剤５が破損するため、コーティング剤の破損を防ぎながらも、ドラム１と銅板４とチタン板６との間に隙間を発生させずに相互密着するように設置するためである。
【産業上の利用可能性】
【００３４】
本発明は、上述した問題点を解決するためのものである。
ドラムの外側面に銅板が環装され、銅板の外側面に白金系金属のコーティング剤をコーティングしたチタン板を環装してドラムの耐久性と電気伝導率を増大させることにより、ドラムの使用寿命を延長して維持補修費用を節減させると共に、電場を効果的に発生させて消費電力を減らし、脱水能力を向上させることができ、安定した脱水作業を保障する。
【符号の説明】
【００３５】
１：ドラム
２：キャタピラ
３：濾布ベルト
４：銅板
５：コーティング剤
６：チタン板
７：空間部
８：水冷ジャケット
９：ボルト
１０：冷却水供給ノズル
１１：冷却水供給管
１００：電気浸透脱水機
【図１】
2010526660.tif 000003
【図２】
2010526660.tif 000004
【図３】
2010526660.tif 000005
【図４】
2010526660.tif 000006
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
陽極（＋）または陰極（−）が印加されたドラムと、
前記ドラムと一定空間部を置いて設置され、陰極（−）または陽極（＋）が全体に印加されたキャタピラまたは電極板と、
前記ドラムとキャタピラまたは電極板の間にスラッジの移送および脱水のために巻き取られた濾布ベルトと、
で構成された電気浸透脱水機であって、
前記ドラムの外側面に銅板が環装され、前記銅板の外側面に白金系金属のコーティング剤をコーティングしたチタン板が環装され、前記銅板とチタン板は、ボルトの頭が白金系金属のコーティング剤でコーティング処理され、銅板とチタン板を貫通してドラムにねじ締結される複数のボルトにより、ドラムの外側面に相互離隔することなくドラムに環装されたことを特徴とする電気浸透脱水機。
【請求項２】
前記ドラムの内側面に冷却水が内部で循環する空間部を備えた円筒型の水冷ジャケットが環装されることを特徴とする請求項１に記載の電気浸透脱水機。
【国際調査報告】
2010526660.tif 000007
2010526660.tif 000008